(57)【要約】【課題】本発明は、サーバーをキャビネットに便利に取り付けることができるサーバー固定装置を提供することを目的とする。【解決手段】本発明に係るサーバー固定装置は、係合部を有する側板を備えるサーバーと、前記サーバーを装着するために用いられ且つ第一支持柱及び第二支持柱を備えるキャビネットと、前記サーバーを前記キャビネットに固定するために用いられる固定部材と、を備え、前記第一支持柱には、複数の固定シートが互いに離間して設置され、各々の固定シートは、前記第一支持柱に直交し且つ前記キャビネットの内側に向かって延在され、前記係合部は隣り合う２つの前記固定シートの間に係合され、前記サーバーの側板は前記固定部材によって前記第二支持柱に固定される。【選択図】図１
2011199283.tif 000002
【特許請求の範囲】
【請求項１】
係合部を有する側板を備えるサーバーと、
前記サーバーを装着するために用いられ、第一支持柱及び第二支持柱を備えるキャビネットと、
前記サーバーを前記キャビネットに固定するために用いられる固定部材と、
を備えてなるサーバー固定装置であって、
前記第一支持柱には、複数の固定シートが互いに離間して設置され、各々の固定シートは、前記第一支持柱に直交し且つ前記キャビネットの内側に向かって延在され、前記係合部は隣り合う２つの前記固定シートの間に係合され、前記サーバーの側板は前記固定部材によって前記第二支持柱に固定されることを特徴とするサーバー固定装置。
【請求項２】
隣り合う２つの前記固定シートの間の距離は、前記側板の幅より小さいが前記係合部の幅より大きいことを特徴とする請求項１に記載のサーバー固定装置。
【請求項３】
前記固定部材は、前記側板に固定される第一固定部及び前記第二支持柱に固定される第二固定部を備え、前記第一固定部と前記第二固定部は直交して接続されることを特徴とする請求項２に記載のサーバー固定装置。
【請求項４】
前記サーバー固定装置は、前記第二固定部を前記第二支持柱に固定する定位部材をさらに備えることを特徴とする請求項４に記載のサーバー固定装置。
【請求項５】
前記定位部材は、外部ねじ山を有する固定柱及び内部ねじ山を有する配合部材を備え、前記第二支持柱には定位孔が設けられ、前記配合部材は前記第二支持柱の後方から前記定位孔に係合され、前記固定柱は第二支持柱の前方から前記配合部材に螺合することを特徴とする請求項４に記載のサーバー固定装置。
【請求項６】
前記配合部材は対向する２つの係合凹部を備え、前記定位孔の対向する２つの辺縁は前記配合部材の２つの係合凹部に係合することを特徴とする請求項５に記載のサーバー固定装置。
【発明の詳細な説明】
【技術分野】
【０００１】
本発明は、固定装置に関するものであって、特にサーバーをキャビネットに便利に取り付けることができるサーバー固定装置に関するものである。
【背景技術】
【０００２】
情報技術の発展に伴って、知識経済も増長し、データを貯蓄及び運算するために、各種のデータ貯蓄センター及びデータ運算センターを確立した。複数のサーバーを１つのキャビネットに装着すると、空間を節約するばかりでなく、且つ便利に管理することができ、複数のサーバーが協同して作動するため、大きい運算項目を実行することができる。従って、サーバーキャビネットは、データ貯蓄センター及びデータ運算センターを確立する時に広く応用される。
【０００３】
通常、１つのキャビネットに４２個の１Ｕ（１Ｕ＝１．７５インチ＝４４．４５ｍｍ）サーバー又は２１個の２Ｕサーバーを取り付けることができる。ガイドレールを利用して、複数の前記サーバーを前記キャビネットに取り付ける。しかし、ガイドレールを採用すると、多い部品を必要とするため、これらの部品を取り付けることが面倒である。
【発明の概要】
【発明が解決しようとする課題】
【０００４】
本発明の目的は、前記課題を解決し、サーバーをキャビネットに便利に取り付けることができるサーバー固定装置を提供することである。
【課題を解決するための手段】
【０００５】
本発明に係るサーバー固定装置は、係合部を有する側板を備えるサーバーと、前記サーバーを装着するために用いられ且つ第一支持柱及び第二支持柱を備えるキャビネットと、前記サーバーを前記キャビネットに固定するために用いられる固定部材と、を備え、前記第一支持柱には、複数の固定シートが互いに離間して設置され、各々の固定シートは、前記第一支持柱に直交し且つ前記キャビネットの内側に向かって延在され、前記係合部は隣り合う２つの前記固定シートの間に係合され、前記サーバーの側板は前記固定部材によって前記第二支持柱に固定される。
【発明の効果】
【０００６】
本発明のサーバー固定装置において、固定部材によってサーバーの側板をキャビネットの第二固定柱に固定し、且つサーバーの側板の係合部をキャビネットの第一固定柱の２つの固定シートの間に係合して、サーバーをキャビネット内に固定するので、ガイドレールを必要としなく、サーバーをキャビネットに便利に取り付けることができる。
【図面の簡単な説明】
【０００７】
【図１】本発明の実施形態に係るサーバー固定装置の立体分解図である。
【図２】本発明の実施形態に係るサーバー固定装置におけるサーバーと固定部材との立体分解図である。
【図３】図２に示す定位部材の立体図である。
【図４】図１に示すサーバー固定装置の立体組立図である。
【図５】図１に示すサーバー固定装置の他の立体組立図である。
【図６】図５に示すサーバー固定装置のVI部分の拡大図である。
【図７】図５に示すサーバー固定装置のVII部分の拡大図である。
【発明を実施するための形態】
【０００８】
以下、図面を参照して、本発明の実施形態について説明する。
【０００９】
図１を参照すると、本発明の実施形態に係るサーバー固定装置は、キャビネット１０と、前記キャビネット１０内に装着される複数のサーバー３０と、前記サーバー３０を前記キャビネット１０に固定するために用いられる複数の固定部材５０（図２を参照）と、を備える。前記キャビネット１０は、長方体であり、前記サーバー３０は、キャビネット式サーバーである。
【００１０】
前記キャビネット１０は、ホルダー１１と、前記ホルダー１１の上表面に直交して設置される外部フレーム１３と、前記外部フレーム１３の内側の後方位置に位置する２つの第一支持柱１５と、前記外部フレーム１３の内側の前方位置に位置する２つの第二支持柱１７と、を備える。前記第一支持柱１５と前記第二支持柱１７は、互いに平行し且つ前記ホルダー１１の上表面に直交して設置される。前記第一支持柱１５には、複数の固定シート１５１が互いに離間して設置されている。各々の固定シート１５１は、前記第一支持柱１５に直交し且つ前記キャビネット１０の内側に向かって延在される。前記第二支持柱１７には、複数の定位孔１７１が開設される。
【００１１】
図２を参照すると、前記サーバー３０は、前板３１と、前記前板３１の両側に位置し且つ前記前板３１に直交して接続される２つの側板３３と、を備える。各々の側板３３の前記前板３１に近い一端には、３つの取付孔３３１が開設されており、各々の側板３３の前記前板３１から離れている一端には、係合部３３２が延在されており、前記係合部３３２の幅は前記側板３３の幅より小さい。前記第一支持柱１５の隣り合う２つの固定シート１５１の間の距離は、前記係合部３３２の幅より大きいが前記側板３３の幅より小さい。前記３つの取付孔３３１は、三角形を呈する。
【００１２】
前記固定部材５０は、前記側板３３に固定される第一固定部５１及び前記第二支持柱１７に固定される第二固定部５３を備え、前記第一固定部５１と前記第二固定部５３は直交して接続される。前記第一固定部５１には、前記側板３３の３つの取付孔３３１に対応する３つの固定孔５１１が開設される。前記第二固定部５３の中央には、１つの固定孔５３１が開設されており、前記第二固定部５３の両端から２つの係合シート５３３が前記第一固定部５１に向かって延在される。
【００１３】
図３を参照すると、前記固定部材５０の第二固定部５３を前記第二支持柱１７に固定するために用いられる定位部材７０は、外部ねじ山を有する固定柱７１及び前記固定柱７１と配合する配合部材７３を備える。前記配合部材７３は、内部ねじ山を有する取付孔７３３及び対向する２つの係合凹部７３１を備える。前記２つの係合凹部７３１は、前記配合部材７３の対向する両端から延在される２つの係合シートがそれぞれ三回曲がって形成される。前記第二支持柱１７の１つの定位孔１７１の対向する２つの辺縁は、前記配合部材７３の２つの係合凹部７３１に係合することができる。
【００１４】
図４及び図５を参照すると、前記サーバー３０を前記キャビネット１０に取り付ける場合、先ず、前記固定部材５０を前記サーバー３０の側板３３に配置して、前記第一固定部５１の３つの固定孔５１１と前記側板３３の３つの取付孔３３１とを位置合わせてから、３つのねじ６０を３つの前記固定孔５１１に貫かせ且つ３つの前記取付孔３３１に螺合して、前記第一固定部５１を前記側板３３に固定する（図６を参照）。
【００１５】
次に、前記サーバー３０を前記キャビネット１０内に挿入して、前記サーバー３０の側板３３の係合部３３２は、前記第一支持柱１５の隣り合う２つの固定シート１５１の間に係合され、前記サーバー３０の側板３３は、前記２つの固定シート１５１に当接して、前記サーバー３０は前記キャビネット１０の後方へ移動することができなく（図７を参照）、前記固定部材５０の第二固定部５３は、前記第二支持柱１７の隣り合う３つの定位孔１７１を覆って、前記第二固定部５３の２つの係合シート５３３は、隣り合う３つの前記定位孔１７１の中の上下の２つの定位孔１７１に係合される（図６を参照）。最後に、前記配合部材７３を前記第二支持柱１７の後方から隣り合う３つの前記定位孔１７１の中の中間の１つの定位孔１７１に係合して、隣り合う３つの前記定位孔１７１の中の中間の１つの定位孔１７１の対向する２つの辺縁は前記配合部材７３の２つの係合凹部７３１に係合され、前記配合部材７３の取付孔７３３と前記第二固定部５３の固定孔５３１とが位置合わせされて、前記固定柱７１を前記固定孔５３１及び隣り合う３つの前記定位孔１７１の中の中間の１つの定位孔１７１に順次に貫かせ且つ前記配合部材７３の取付孔７３３に螺合して、前記サーバー３０を前記キャビネット１０内に固定することができる。
【００１６】
本発明のサーバー固定装置において、前記サーバー３０を前記キャビネット１０内に固定する際、ガイドレールを必要としなく、前記サーバー３０を前記キャビネット１０に便利に取り付けることができ、且つガイドレールを製造するコストも減少することができる。
【００１７】
以上本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲から決まる。
【符号の説明】
【００１８】
１０  キャビネット
１１  ホルダー
１３  外部フレーム
１５  第一支持柱
１７  第二支持柱
３０  サーバー
３１  前板
３３  側板
５０  固定部材
５１  第一固定部
５３  第二固定部
６０  ねじ
７０  定位部材
７１  固定柱
７３  配合部材
１５１  固定シート
１７１  定位孔
３３１，７３３  取付孔
３３２  係合部
５１１，５３１  固定孔
７３１  係合凹部
【図１】
2011199283.tif 000003
【図２】
2011199283.tif 000004
【図３】
2011199283.tif 000005
【図４】
2011199283.tif 000006
【図５】
2011199283.tif 000007
【図６】
2011199283.tif 000008
【図７】
2011199283.tif 000009